(57)【要約】【課題】被写体からの撮影光をとらえて画像データを得る撮影機能を有する携帯端末および携帯電話に関し、操作性を向上する。【解決手段】被写体からの撮影光を取り込む光学部材１４と、摺動自在に取り付けられ、摺動されることにより光学部材１４を開閉自在に覆うカバー部材１６とを備え、カバー部材１６が、カバー部材１６表面にミラー１５を有する。【選択図】　　　　図４
2004096330.tif 000002
【特許請求の範囲】
【請求項１】
被写体からの撮影光をとらえて画像データを得る撮影機能を有する携帯端末において、
被写体からの撮影光を取り込む光学部材と、
摺動自在に取り付けられ、摺動操作を受けて前記光学部材を開閉自在に覆うカバー部材とを備え、
前記カバー部材が、該カバー部材表面にミラーを有するものであることを特徴とする携帯端末。
【請求項２】
前記ミラーが、所定の第１の領域を映し出す第１のミラー部と、前記第１の領域を取り囲む所定の第２の領域を映し出す第２のミラー部とを有するものであることを特徴とする請求項１記載の携帯端末。
【請求項３】
被写体からの撮影光をとらえて画像データを得る撮影機能を有する携帯端末において、
被写体からの撮影光を取り込む光学部材と、
摺動自在に取り付けられ、摺動操作を受けて前記光学部材を開閉自在に覆うカバー部材とを備え、
前記カバー部材は、該カバー部材が閉じた状態にあるときに、前記光学部材に対向する除電部材を有するものであることを特徴とする携帯端末。
【請求項４】
被写体からの撮影光をとらえて画像データを得る撮影機能を有する携帯端末において、
被写体からの撮影光を取り込む光学部材と、
摺動自在に取り付けられ、摺動操作を受けて前記光学部材を開閉自在に覆うカバー部材とを備え、
前記カバー部材は、該カバー部材が摺動する際に前記光学部材の汚れを拭き取る拭取部材を有するものであることを特徴とする携帯端末。
【請求項５】
被写体からの撮影光をとらえて画像データを得る撮影機能を有する携帯電話において、
被写体からの撮影光を取り込む光学部材と、
摺動自在に取り付けられ、摺動操作を受けて前記光学部材を開閉自在に覆うカバー部材とを備え、
前記カバー部材が、該カバー部材表面に自分撮り用のミラーを有するものであることを特徴とする携帯電話。
【発明の詳細な説明】
【０００１】
【発明の属する技術分野】
本発明は、被写体からの撮影光をとらえて画像データを得る撮影機能を有する携帯端末および携帯電話に関する。
【０００２】
【従来の技術】
近年のコンピュータ技術の進歩に伴い携帯端末が普及し、その携帯端末の中でも、基地局との間で無線通信を行う、携帯電話やＰＨＳ（Ｐｅｒｓｏｎａｌ　Ｈａｎｄｙｐｈｏｎ　Ｓｙｓｔｅｍ）（以下、ＰＨＳも含めて携帯電話と称する）が爆発的に普及している。ここで、現在の携帯電話の人気機種として、カメラを内蔵した機種があげられる。
【０００３】
ところで、特開平１０−２６８３８６号公報には、自分撮り用のミラーを備えたカメラが記載されているが、カメラを内蔵した携帯電話においても、自分撮り用のミラーを備えたものが知られている。
【０００４】
図１は、カメラを内蔵した、従来の携帯電話の外観を示す図である。
【０００５】
図１に示す携帯電話９は、２つに折り畳むことができる折り畳み式のものである。また、図１に示す携帯電話９には、カメラが内蔵されている。このカメラの撮影レンズは、透明なカメラパネルに覆われており、この撮影レンズは、図１では図示省略されている。図１には、２つに折り畳んだ状態の携帯電話９が示されている。この携帯電話９の、この状態における表面には、通信のためのアンテナ９１、着信音を発する孔９２、不図示のメインディスプレイとは別に設けられたサブディスプレイ９３が設けられている他、上述のカメラパネル９４も設けられている。また、このカメラ付きの携帯電話９には、カメラパネル９４の近傍に自分撮り用のミラー９５が設けられている。このような携帯電話９を用いて、自分自身で自分の顔を撮影するには、撮影レンズが自分の方を向くようにこの携帯電話９を持って、ミラー９５に映る鏡像を目安に構図を確認し、不図示のシャッタボタンを押下する。すると、この携帯電話９に、シャッタボタン押下時の自分の顔を表す画像が、画像データとして取り込まれる。
【０００６】
しかしながら、撮影レンズを覆うカメラパネル９４に埃や指紋等の汚れが付くと、自分の顔を撮影する場合に限らず何を撮影する場合であっても、きれいに撮影することができなくなる。図１に示す携帯電話９のカメラパネル９４は常に露出しており、カメラパネル９４には汚れが付きやすい。そのため、使用者は、図１に示す携帯電話９を操作する際に、カメラパネル９４に汚れが付かないように注意して操作しなければならず、操作性が低下する。また、携帯時や保管時にカメラパネル９４に汚れが付いてしまう恐れがある。このため、撮影操作を開始する前にカメラパネル９４の汚れを拭き取る作業を行わなければならないことがあり、この作業によっても操作性が低下する。
【０００７】
また、このようなカメラ付きの携帯電話が普及してくると、誰でも周囲を手軽に撮影することができるようになる。一方、周囲の人は、携帯電話を操作している人が、撮影操作を行っているのかそれ以外の操作を行っているのか判別しにくく、たまたま、人の方を向いて携帯電話を操作していると、盗撮されたのではないかという疑惑をもたれる恐れがある。
【０００８】
ここで、特開２００１−３０９００３号公報には、撮影レンズを開閉自在に覆うカバー部材を備えたカメラ付きの携帯電話が開示されている。なお、この公報に記載された携帯電話には、撮影レンズを覆うカメラパネルが設けられておらず、撮影レンズが、この携帯電話の撮影光学系をなす部品のうち、最も被写体側に配置されたものである。ここでは、撮影光学系をなす部品のうちの最も被写体側に配置されたものを光学部材と称することにする。この公報に記載された携帯電話は、カメラ不使用時には、カバー部材によって光学部材を覆うことができる。そのため、光学部材に汚れが付く可能性は低減される。また、光学部材をカバー部材で覆っておくことにより、盗撮されたのではないかと疑惑をもたれることがなくなる。
【０００９】
ところが、この公報記載の携帯電話には、図１に示すようなミラー９５が配備されていない。一方、実用新案登録第３０６４７４０号の実用新案掲載公報には、カメラ付きではないが、ミラーと、そのミラーを開閉自在に覆うカバーとを備えた携帯電話が開示されている。
【００１０】
【発明が解決しようとする課題】
そこで、特開２００１−３０９００３号公報に記載されたカバー部材の技術を、図１に示す携帯電話９に採用することが考えられる。ところで、自分撮り用のミラーは、自己撮影時の目線のズレを極力無くすため、できる限り光学部材の近傍に配置させることが好ましい。図１に示す携帯電話９では、ミラー９５は光学部材の近傍に配置されている。そのため、特開２００１−３０９００３号公報に記載されたカバー部材の技術を図１に示す携帯電話９に採用しようとすると、カバー部材を開けたときにそのカバー部材がミラーを覆ってしまうことがないよう、カバー部材の開閉機構を特殊な機構にする必要が生じ、カバー部材の開閉操作の操作性が低下することが懸念される。
【００１１】
また、カバー部材を設けると、光学部材がカバー部材で覆われているときには、光学部材に汚れが付くことを防止することができるため、操作性に一定の向上は認められる。しかしながら、ミラーの有無に関わらず、カバー部材をカメラ付き携帯電話に設けたとしても、撮影時には、光学部材は露出しており、光学部材に汚れが付着する可能性が残る。そのため、やはり、撮影操作を開始する前に、光学部材の汚れを拭き取る、操作性の低下につながる作業が強いられることになる。
【００１２】
本発明は、上記事情に鑑み、操作性が向上した、撮影機能を有する携帯端末、および操作性が向上した、撮影機能を有する携帯電話を提供することを目的とする。
【００１３】
【課題を解決するための手段】
上記目的を達成する本発明のうちの携帯端末には、大きく分けて３つの態様があり、いずれの態様の携帯端末も、被写体からの撮影光をとらえて画像データを得る撮影機能を有するものであって、
被写体からの撮影光を取り込む光学部材と、
摺動自在に取り付けられ、摺動操作を受けて上記光学部材を開閉自在に覆うカバー部材とを備えたものである。
【００１４】
ここにいう光学部材とは、撮影光学系をなす部品のうちの最も被写体側に配置されたものであり、具体的には、撮影レンズ、または撮影レンズの前方に配置された透明なレンズカバー等があげられるが、これらに限ったものではない。
【００１５】
本発明のいずれの態様の携帯端末によっても、撮影操作を行わない場合には、上記カバー部材を閉じておくことで上記光学部材に汚れがつくことを防止することができる。
【００１６】
以下、３つの態様の携帯端末について、さらに具体的な態様も含めて説明する。
【００１７】
まず、１つ目の態様である第１の携帯端末は、上記カバー部材が、そのカバー部材表面にミラーを有するものであることを特徴とする。
【００１８】
本発明の第１の携帯端末によれば、ミラーを備えながらも、そのミラーは、上記カバー部材表面に配備されたものであるため、そのカバー部材がそのミラーに干渉することはなく、そのカバー部材の開閉操作は、誰でも簡単に操作することができる摺動操作によって行われる。したがって、上記カバー部材の開閉における操作性は良好である。
【００１９】
ここで、第１の携帯端末において、上記ミラーが、所定の第１の領域を映し出す第１のミラー部と、上記第１の領域を取り囲む所定の第２の領域を映し出す第２のミラー部とを有するものであってもよく、さらには、
上記第２のミラー部が、上記第１のミラー部の周囲に同心円状に配置されたものである態様が好ましい。
【００２０】
上記第２のミラー部は、上記第２の領域とともに上記第１の領域も映し出すものであってもよく、このような第２のミラー部は、例えば、第１のミラー部と横並びに配置される。一方、第１のミラー部と第２のミラー部が同心円状に配置された態様では、２つのミラー部で、上記第１の領域を映し出すミラー部として第１のミラー部を兼用することができるので、コンパクト化に寄与することができる。
【００２１】
さらに、第１の携帯端末において、この携帯端末は、異なる複数の撮影画角の中から自在に選択された撮影画角の被写体像を表す画像データを得るものであって、
上記第１のミラー部が、上記複数の撮影画角のうちの最小画角の被写体を映し出すものであって、
上記第２のミラー部が、上記複数の撮影画角のうちの最大画角の被写体を映し出すものであることや、あるいは、
第１の携帯端末において、この携帯端末は、被写体からの撮影光を、複数の受光素子が二次元的に配列された撮像面を有する撮像素子のその撮像面上に結像させ、その撮像面の、受光素子数が異なる複数の広さの領域の中から自在に選択された領域内の受光素子数に対応した画素数の画像データを得るものであって、
上記第１のミラー部が、第１の画素数の画像データで被写体像を表現するときの被写体を映し出すものであって、
上記第２のミラー部が、第１の画素数とは異なる第２の画素数の画像データで被写体像を表現するときの被写体を映し出すものであることが好ましい。
【００２２】
例えば、デイジタル式や光学式のズーム機能を有する携帯端末では、ズーム倍率を変えることで撮影画角も変わってくる。すなわち、ズーム倍率を変えることで撮影範囲も変わってくる。また、画素数の指定が異なる複数の規格に基づいて画像データを得る携帯端末では、基づく規格を変えることで撮影範囲も変わってくる。すなわち、画素数が変わることで撮影範囲も変わってくる。撮影画角に応じたミラー部を備えた前者の携帯端末では、ズーム倍率が変わっても、上記ミラーに適正な撮影範囲を映し出すことができる。また、画素数に応じたミラー部を備えた後者の携帯端末では、画素数が変わっても、上記ミラーに適正な撮影範囲を映し出すことができる。したがって、いずれの携帯端末でも、自分撮りの際の撮り直しの回数を低減させることができる。
【００２３】
２つ目の態様である第２の携帯端末は、上記カバー部材が、除電部材を有するものであることを特徴とする。この除電部材は、上記カバー部材が閉じた状態にあるときに、上記光学部材に対向するものである。
【００２４】
また、３つ目の態様である第３の携帯端末は、上記カバー部材が、拭取部材を有するものであることを特徴とする。この拭取部材は、上記カバー部材が摺動する際に上記光学部材の汚れを拭き取るものである。
【００２５】
第２の携帯端末によれば、上記カバー部材を閉じるたびに、上記光学部材が除電され、上記光学部材が帯電することで埃等が付着することを防止することができる。また、第３の携帯端末によれば、上記カバー部材の開閉操作を行うたびに、上記光学部材に付着した埃等が、上記拭取部材によって拭き取られる。このため、いずれの態様においても、撮影操作を開始する前に、カメラパネルの汚れを拭き取る作業を行うことが不要となり、操作性が向上する。
【００２６】
上記目的を達成する本発明のうちの携帯電話の特徴部分の構成は、上記ミラーが自分撮り用のミラーである点を除いて、上述した第１の携帯端末の特徴部分の構成と同じである。このため、本発明の第１の携帯電話は、本発明の第１の携帯端末と同様な作用効果を有する。
【００２７】
ここで、第１の携帯電話においても、自分撮り用のミラーが、第１の所定領域を映し出す第１のミラー部と、上記第１の領域を取り囲む第２の所定領域を映し出す第２のミラー部とを有するものであってもよい。
【００２８】
【発明の実施の形態】
以下、本発明のうちの携帯端末の実施形態として携帯電話を例にあげて説明する。ここで例にあげる携帯電話は、本発明のうちの携帯電話の実施形態にも相当する。
【００２９】
図２は、本実施形態の携帯電話の外観を示す図である。
【００３０】
この図２に示す携帯電話１は、２つに折り畳むことができる折り畳み式の携帯電話である。この携帯電話１の、２つ折りの一方の部分には、電話番号やその他各種の情報を表示するメインディスプレイ５１が配備されているとともに、内部の受話用スピーカから発音される音声を外部に向けて発する孔５２が形成されている。また、図２に示す携帯電話にはカメラが内蔵されており、この携帯電話１は、被写体からの撮影光をとらえて画像データを得る撮影機能を有する。メインディスプレイ５１は、電話番号の他、この携帯電話１に内蔵されたカメラによって撮影した写真を表示することができる。以下、このメインディスプレイ５１が配備された２つ折りの一方の部分をディスプレイ側１ａと称することにする。このディスプレイ側１ａの側面には、この携帯電話１に内蔵されたカメラのシャッタボタン５３が配備されている。
【００３１】
また、その２つ折りのもう一方の部分には、電話番号やその他の情報を入力する操作ボタン５４が配列されているとともに、しゃべった音声を内部の送話用マイクロホンに伝えるための孔５５が形成されている。以下、この操作ボタン５４が配備された２つ折りのもう一方の部分を操作ボタン側１ｂと称することにする。
【００３２】
図３は、折り畳んだ状態の図２に示す携帯電話を、ディスプレィ側の真上から見たときの外観を示す図である。
【００３３】
ディスプレィ側１ａの内部には、図３では不図示の固体撮像素子が配備されている。この固体撮像素子は、ディスプレィ側１ａの外観面を形成するケースによって覆われている。図３には、リアケース１０が示されている。このリアケース１０は、ディスプレイ側１ａの外観面を形成する一部である。固体撮像素子は、リアケース１０の内側に配備されており、その固体撮像素子の前側には、撮影レンズが配備されている。固体撮像素子は、複数の受光素子が二次元的に配列された撮像面を有するものである。撮影レンズは透明なカメラパネルに覆われており、この撮影レンズは図３では図示省略されている。また、図３に示す携帯電話１は、カメラパネルを開閉自在に覆う、レンズカバー１６を備えている。図３には、このレンズカバー１６を閉じた状態の携帯電話１が示されており、この図３では、カメラパネルはこのレンズカバー１６によって覆われている。
【００３４】
ここで、図３とともに図４も用いて、図３に示す携帯電話１のリアケース１０について説明する。
【００３５】
図４は、図３に示す携帯電話のレンズカバーを開けた状態を示す外観図である。
【００３６】
この携帯電話１のリアケース１０には、伸縮自在な通信用アンテナ１１が縮んだ状態で格納されており、リアケース１０には、内部の着信音用スピーカから発音される着信声を外部に向けて発する孔１２や、図２に示すメインディスプレイ５１とは別に設けられたサブディスプレイ１３が設けられている他、上述のカメラパネル１４（図４参照）やレンズカバー１６も設けられている。撮影レンズは、図４でも図示省略したが、カメラパネル１４の奥に配置されている。カメラパネル１４は、撮影レンズを保護するものである。図３に示す携帯電話１では、被写体からの撮影光は、このカメラパネル１４から取り込まれる。撮影レンズは、カメラパネル１４から取り込まれた撮影光を不図示の固体撮像素子の撮像面に結像させる。したがって、図３に示す携帯電話１においては、図４に示すカメラパネル１４が本発明にいう光学部材に相当するが、このようなカメラパネルが省略され撮影レンズがリアケース１０の表面にあらわれた携帯電話においては、その撮影レンズが本発明にいう光学部材に相当する。レンズカバー１６は、リアケース表面１００に、摺動自在に取り付けられており、摺動操作に応じてカメラパネル１４を開閉自在に覆うものである（図４に示す矢印参照）。レンズカバー１６を開閉するには摺動操作を行うだけでよく、レンズカバー１６の開閉操作は誰でも簡単に行うことができる。このレンズカバー１６を図２に示すように閉じると、カメラパネル１４およびその奥に配置された撮影レンズは、このレンズカバー１６によって完全に覆われ、被写体からの撮影光は遮られる。そのため、撮影操作を行わない場合には、レンズカバー１６を閉じておくことでカメラパネル１４に汚れがつくことを防止することができる。また、このレンズカバー１６の表面には、自分撮り用のミラー１５が設けられている。このミラー１５は、撮影画角内の所定領域を映し出す円形部分１５１を有する。このような携帯電話１を用いて、自分自身で自分の顔を撮影するには、まず、レンズカバー１６を図４に示す開状態にする。続いて、撮影レンズが自分の方を向くようにこの携帯電話１を持って、ミラー１５の円形部分１５１に映る鏡像を目安に構図を確認し、ディスプレイ側１ａの側面に設けられたシャッタボタン５３を押下する。すると、この携帯電話１に、シャッタボタン押下時の自分の顔を表す画像が、画像データとして取り込まれる。この図２に示す携帯電話１は、このように自分撮り用のミラー１５をレンズカバー１６の表面に設けたたため、図１に示す、自分撮り用のミラー９５をリアケース表面１００に直接取り付けた従来の携帯電話９に比べ、自分撮りを行う際に、撮影レンズのより近くにミラーを配置することができ、目線のずれを抑えることができる。また、リアケース表面１００のデザインをすっきりとしたものにすることができる。ここで、操作者が、円形部分１５１に指を押し当ててレンズカバー１６の開閉操作を行うと、円形部分１５１が指紋で汚れてしまい、円形部分１５１に撮影画角内の所定領域がきれいに映らなくなってしまう。そのため、この携帯電話１のレンズカバー１６の表面の、ミラー１５の下には、レンズカバー１６の開閉操作時に指を当てる位置の目印として、突条部１６１が設けられている。また、レンズカバー１６の開閉操作時に操作者の指が円形部分１５１に誤って触れてしまわないよう、円形部分１５１の周囲には、円形部分１５１より１段高くなった環状突部１５２が設けられている。この環状突部１５２は、この携帯電話１の携帯時や保管時に円形部分１５１に汚れが付くことも防止する。さらに、この携帯電話１のリアケース１０には、リアパネル１７が取り付けられている。
【００３７】
続いて、図５を用いて、図２に示す携帯電話１のリアケース１０に取り付けられる構成部材についてさらに詳述する。
【００３８】
図５は、図２に示す携帯電話のリアケースに取り付けられる構成部材を各々示した図である。
【００３９】
図５に実線で示す直線の矢印は、各構成部材がリアケース１０に取り付けられることを表している。リアパネル１７には、サブディスプレイ用の窓１７１と、レンズカバー用の切抜孔１７２が設けられている。サブディスプレイ用の窓１７１は、このリアパネル１７がリアケース１０に取り付けられた状態で、サブディスプレイ１３の前側に位置するものである。レンズカバー用の切抜孔１７２の幅はレンズカバー１６の幅に合わせられており、この切抜孔１７２の長さはレンズカバー１６の摺動領域の長さに合わせられている。レンズカバー１６は、この切抜孔１７２の中で摺動操作され、図３に示すレンズカバー１６の閉状態では、レンズカバー１６の上縁１６ａが切抜孔１７２の上縁１７２ａに当接し、図４に示すレンズカバー１６の開状態では、レンズカバー１６の下縁１６ｂが切抜孔１７２の下縁１７２ｂに当接する。
【００４０】
ここで、図６も参照しながら、さらに説明を続ける。
【００４１】
図６は、図４におけるＡ−Ａ断面のうちの、ディスプレイ側の断面を示す図である。
【００４２】
この図６には、今まで図示省略していた固体撮像素子１８と撮影レンズ１９とが示されている。また、図６に示す２点鎖線は、この撮影レンズ１９の撮影画角を示す。
【００４３】
図５に示すリアケース１０には、着信音を発する孔１２とは別に、図６に示す撮影レンズ１９が奥に配備された孔１０２が設けられており、この孔１０２の上半周に沿って半円状のリブ１０３も設けられている。また、リアケース１０には、その孔１０２の下方に、互いに所定間隔を保って下方に向かって延在する１対のリブ１０４も設けられている。
【００４４】
カメラパネル１４は、透過率の高いアクリル樹脂からなるものであって、この孔１０２よりもやや大きい。このようなカメラパネル１４は、この孔１０２を覆うようにリアケース表面１００に貼り付けられる。
【００４５】
レンズカバー１６の裏面には、図５に示す除電部材１６２が貼り付けられる。図５に示す点線の矢印は、除電部材１６２がリアケース１０に貼り付けられることを表している。カメラパネル１４の材質であるアクリル樹脂は、表面固有抵抗値が１０１６Ω程度と高く、このため帯電しやすい。その結果、カメラパネル１４の表面には埃や塵等が付着しやすい。除電部材１６２は、レンズカバー１６を閉めた状態でカメラパネル１４に対向するものであり、カメラパネル１４には非接触である。図６には、除電部材１６２が、１対のリブ１０４に挟まれた部分１０５に非接触である様子が示されている。この部分１０５の高さは、カメラパネル１４の表面の高さと同じ高さに揃えられている。そのため、レンズカバー１６を、図３に示すような閉状態にしても、除電部材１６２はカメラパネル１４に非接触である。除電部材１６２は、能導電性樹脂繊維の不織布からなるものであるが、これに限らず、例えば、カーボン繊維や、硫化銅をアクリル繊維やナイロン繊維に化学結合させた有機導電性繊維等からなるものであってもよい。この除電部材１６２は、カメラパネル１４に対向することでカメラパネル１４を除電し、カメラパネル１４の表面固有抵抗値を１０１１Ω程度にまで低下させてカメラパネル１４に埃や塵が付着することを防止する。また、この図５に示す除電部材１６２は、埃や塵を吸着する機能も有するものであり、カメラパネル１４に何かの拍子で埃や塵が付着しても、付着した埃や塵を吸着し、カメラパネル１４から埃や塵を取り除く。したがって、レンズカバー１６を開けた時には、カメラパネル１４は常に清掃された状態にある。このため、撮影操作を開始する前に、カメラパネル１４の汚れを拭き取る作業を行うことが不要となり、操作性が向上する。
【００４６】
ところで、この除電部材１６２を設ける代わりに、カメラパネル１４の表面に帯電防止コートを塗布することが考えられるが、帯電防止コートは硬度が低く傷がつきやすい。このため、帯電防止コートを塗布するよりも除電部材１６２を設ける方が好ましい。
【００４７】
また、除電部材１６２は、必ずしもカメラパネル１４に非接触である必要はなく、接触してもよい。カメラパネル１４に接触する場合には、根元がステンレスで先端がアクリル樹脂のブラシ等を除電部材として用いればよく、レンズカバー１６の摺動操作を受けて、除電部材が、カメラパネル１４上で十分な摺動領域を確保できるようにすることが好ましい。
【００４８】
以上説明した図５に示す除電部材１６２は、自分撮り用のミラー１５が表面に設けられたレンズカバー１６の裏面に配備されているが、除電部材は、表面に自分撮り用のミラーが設けられていないレンズカバーを有する携帯端末にも適用することができる。
【００４９】
また、リアケース１０には、１対の突起１０１と、摺接部１０６も設けられている。１対の突起１０１それぞれは、図５に示すように、１対のリブ１０４それぞれの外側に立設されている。摺接部１０６は、図６に示すように、１対のリブ１０４に挟まれた部分１０５よりも一段高くなっており、レンズカバー１６の裏面の、除電部材１６２が設けられた位置よりも下の部分１６ａが接触している。レンズカバー１６が摺動操作されると、この下の部分１６ａが摺接部１０６上を摺動する。
【００５０】
次に、図５を引き続き用いて、レンズカバー１６の取り付け構造について説明する。
【００５１】
レンズカバー１６の両側それぞれには、係合片１６３が設けられている。この係合片１６３は、断面がＶ字状の溝１６３１を有する。一方、リアケース１０の半円状のリブ１０３の両端それぞれには第１収納部１０７が設けられており、摺接部１０６の両側それぞれには第２収納部１０８が設けられている。
【００５２】
リアケース表面１００の左右それぞれには、図５に示すトーションスプリング２０が取り付けられる。このトーションスプリング２０は、中央が巻回されて環状になっており、一端側に第１突出部２０１を有するとともに他端側に第２突出部２０２を有する。このようなトーションスプリング２０は、リアケース１０に設けられた突起１０１に中央の環状部分が差し込まれ、一端が第１収納部１０７に遊動自在に収納されるとともに他端が第２収納部１０８に遊動自在に収納されることで、リアケース表面１００に取り付けられる。
【００５３】
ここで、図５とともに図７および図８も用いて、説明を続ける。
【００５４】
図７は、図３に示す携帯電話からリアパネルを取り去った状態を示す図であり、図８は、図４に示す携帯電話からリアパネルを取り去った状態を示す図である。
【００５５】
図７は、レンズカバー１６が閉められた状態を示す図であるが、この図７には、レンズカバーの溝１６３１がトーションスプリング２０の第１突出部２０１に係合している様子が示されている。レンズカバーの溝１６３１が第１突出部２０１に係合すると、レンズカバー１６は閉状態に固定される。一方、図８は、レンズカバー１６を開けた状態を示す図であるが、この図８には、レンズカバーの溝１６３１がトーションスプリング２０の第２突出部２０２に係合している様子が示されている。レンズカバーの溝１６３１が第２突出部２０２に係合すると、レンズカバー１６は開状態に固定される。操作者が、図７に示す閉状態のレンズカバー１６を開けるようとしてレンズカバー１６を摺動し始めると、まず、レンズカバーの溝１６３１を形成する上側の斜辺１６３１ａ（図５参照）によってトーションスプリング２０の第１突出部２０１が外側に押され、トーションスプリング２０の、第１収納部１０７に遊動自在に収納された一端が外側に向かって移動し、上側の斜辺１６３１ａは第１突出部２０１を乗り越える。レンズカバー１６が図８に示す開状態の位置に近づくと、今度は、レンズカバー１６の係合片１６３の下縁１６３ａ（図５参照）によってトーションスプリング２０の第２突出部２０２が外側に押され、トーションスプリング２０の、第２収納部１０８に遊動自在に収納された他端が外側に向かって移動し、係合片１６３の下縁１６３ａは第２突出部２０２を乗り越え、レンズカバーの溝１６３１が第２突出部２０２に係合する。レンズカバーの溝１６３１が第１突出部２０１や第２突出部２０２に係合すると、操作者にはカチッという感触が伝わり、操作者はレンズカバー１６が固定されたことを感じとることができる。
【００５６】
次に、図２に示す携帯電話１の変形例について説明する。この変形例の説明では、図２に示す携帯電話１と異なる点について説明する。なお、図２に示す携帯電話１の構成要素と同じ構成要素には、同一の符号を付して説明する。
【００５７】
この変形例における携帯電話は、ズーム撮影機能を有する。この携帯電話において、ズーム撮影機能をオンにしたときのズーム倍率は２倍である。
【００５８】
図９は、この変形例における携帯電話に備えられた撮影レンズの撮影画角と撮影範囲の関係を示す図である。
【００５９】
図９には、３つの四角１９０〜１９２が示されており、これらいずれの四角１９０〜１９２も、この変形例における携帯電話に備えられたカメラで、所定距離離れた被写体を撮影する際の撮影範囲を表すものである。これらのうちの外側の２点鎖線の四角１９０は、撮影レンズ１９の撮影画角によって規定される撮影範囲を表すものであり、メインディスプレイ５１上では、横２９６ドット×縦３７０ドットの領域になる。実線の四角１９１は、ズーム撮影機能をオフにして撮影した場合の撮影範囲を表すものであり、メインディスプレイ５１上では、横２８８ドット×縦２８８ドットの領域になる。内側の点線の四角１９２は、反対に、ズーム撮影機能をオンにして撮影した場合の撮影範囲を表すものであり、メインディスプレイ５１上では、横１４４ドット×縦１４４ドットの領域になる。なお、ズーム撮影機能をオンにして撮影しても、実際には、実線の四角１９１で示される領域の画像が一旦取り込まれ、点線の四角１９２で示される領域の画像が切り出されるが、ここでは、便宜上、点線の四角１９２で示される領域を、ズーム撮影機能をオンにして撮影した場合の撮影範囲と称することにする。ズーム撮影機能をオンにして撮影した写真をメインディスプレイ５１上に表示すると、点線の四角１９２で示される領域の画像が、実線の四角１９１の領域まで拡大されて表示される。すなわち、点線の四角１９２で示される領域の画像が２倍に拡大されて表示される。このように、ズーム撮影機能をオン／オフすることにより撮影範囲が切り換わる。すなわち、ズーム撮影機能をオン／オフすることにより撮影画角が切り換わる。
【００６０】
ここで、図９とともに図１０も用いて、この変形例における携帯電話に備えられた自分撮り用のミラーついて説明する。
【００６１】
図１０は、この変形例における携帯電話に備えられた自分撮り用のミラーを示す図である。
【００６２】
この変形例における携帯電話に備えられたレンズカバー１６の表面には、図１０に示す自分撮り用のミラー２５が配備されている。このミラー２５は、円形であって、内側部分２５１と外側部分２５２とで表面の曲率が異なるものである。
【００６３】
図１０には、（ａ）と（ｂ）の２つの図が示されており、これらのうちの（ａ）は、この変形例における携帯電話に備えられた自分撮り用のミラー２５の正面図である。この（ａ）では、内側部分２５１を格子状に表し、外側部分２５２をハニカム状に表すことで、内側部分２５１の表面の曲率と外側部分２５２の表面の曲率とが異なることを表している。図１０の（ｂ）は、（ａ）に示すミラー２５が映し出す領域を示した図である。この（ｂ）には、ミラー２５の側面図が左側に示されている。図１０に示すミラー２５の、内側部分表面の曲率半径は、外側部分表面の曲率半径よりも小さい。すなわち、図１０に示すミラー２５は、内側部分２５１の表面の曲率の方が外側部分２５２の表面の曲率よりも大きいものである。このため、所定距離Ｌ離れた被写体を映し出すにあたり、外側部分２５２は、（ｂ）に示すように、内側部分２５１が映し出す領域Ａを取り囲む領域Ｂを映し出す。このことを、図９を用いて、撮影範囲との関係で説明すると、図１０に示すミラー２５の内側部分２５１は、所定距離離れた自分の顔を撮影する際に、図９に示された点線の円２５１０で示される領域を映し出す。この点線の円２５１０は、点線の四角１９２の内接円であることから、図１０の（ｂ）に示す、内側部分２５１が映し出す領域Ａは、所定距離Ｌ離れた被写体をズーム撮影機能をオンにして撮影する場合の撮影範囲に対応していることがわかる。また、図１０に示すミラー２５の、内側部分２５１と外側部分２５２を併せた領域、すなわち図１０に示すミラー２５全体は、所定距離離れた自分の顔を撮影する際に、図９に示された実線の円２５００で示される領域を映し出す。この実線の円２５００は、実線の四角１９１の内接円であることから、図１０の（ｂ）に示す、ミラー２５全体が映し出す領域Ｃは、所定距離Ｌ離れた被写体をズーム撮影機能をオフにして撮影する場合の撮影範囲に対応していることがわかる。
【００６４】
図１０の（ｂ）に示すように、内側部分２５１と外側部分２５２の境には段差２５３が設けられており、内側部分２５１の方が低く、外側部分２５２の方が高くなっている。そのため、操作者は、内側部分２５１に映る鏡像と、外側部分２５２に映る鏡像とを明確に区別することができ、ズーム撮影機能をオンにして撮影する場合には、内側部分２５１に映る鏡像のみを目安に構図を確認すればよい。一方、ズーム撮影機能をオフにして撮影する場合には、ミラー２５全体に映る鏡像を目安に構図を確認すればよい。このように、この変形例の携帯電話では、ズーム撮影機能を、オンにした場合でもオフにした場合でも、自分撮り用のミラー２５に適正な撮影範囲を映し出すことができ、自分撮りの際の、構図の失敗による撮り直しの回数を低減させることができる。また、操作者は、１つのミラーの全体と、その一部である内側部分で構図を確認することができるため、異なる撮影範囲の相関を把握しやすく、操作性が良好である。
【００６５】
ところで、この変形例におけるミラー２５に代えて、同じ曲率のミラーに撮影範囲に応じたマーキングを施したものを採用することが考えられるが、マーキングを施すには製造工程を増やさなければならないのに対し、表面の曲率を変えるにはミラーを成形する型で対応することができる。このため、この変形例におけるミラー２５の方が、工程数の増加を伴わずに製造することができ好ましい。
【００６６】
なお、この変形例における携帯電話には、２倍のズーム倍率しか用意されていないが、例えば、２倍のズーム倍率と４倍のズーム倍率が用意された携帯電話の場合には、ミラーの、内側部分と外側部分との間に、内側部分の表面曲率よりは小さく、かつ外側部分の表面曲率よりは大きい表面曲率の部分を設け、一番内側の部分を４倍のズーム倍率の撮影範囲に対応した部分とし、中央部分とその一番内側の部分とを併せた部分を２倍のズーム倍率の撮影範囲に対応した部分としてもよい。なお、この場合にも、ミラー全体で、ズーム撮影機能をオフにした場合の撮影範囲に対応すればよい。また、４種類以上の撮影範囲に対応したミラーとすることも可能であるが、４種類以上の撮影範囲に対応させるには、見やすさの点から２種類の撮影範囲に対応させたミラーを複数個設ける方が好ましい。さらに、曲率の大小関係を逆にし、内側部分２５１の曲率の方を外側部分２５２の曲率よりも小さくしてもよいが、見やすさの点で、内側部分２５１の曲率の方が外側部分２５２の曲率よりも大きい方が好ましい。また、焦点距離可変の撮影レンズを備えた携帯電話にも、この変形例における技術を適用することができる。
【００６７】
さらに、図２に示す携帯電話のもう一つの変形例について説明する。ここでの説明でも、図２に示す携帯電話１とは異なる点について、図２に示す携帯電話１の構成要素と同じ構成要素には同一の符号を付して説明する。
【００６８】
この変形例の携帯電話は、固体撮像素子１８の撮像面の、受光素子数が異なる複数の広さの領域ぞれぞれの受光素子数に対応した画素数の画像データを得る機能を有する。
【００６９】
図１１は、この変形例における携帯電話で作成された画像データの画素数と撮影範囲の関係を示す図である。
【００７０】
図１１には、３つの四角１９０，１９３，１９４が示されており、これらいずれの四角１９０，１９３，１９４も、この変形例における携帯電話に備えられたカメラで、所定距離離れた被写体を撮影する際の撮影範囲を表すものである。これらのうちの外側の２点鎖線の四角１９０は、撮影レンズ１９の撮影画角によって規定される撮影範囲を表すものであり、メインディスプレイ５１上では、横２９６ドット×縦３７０ドットの領域になる。実線の四角１９３は、この変形例の携帯電話で作成することができる最大画素数の画像データを作成する場合の撮影範囲を表すものであり、メインディスプレイ５１上では横２８８ドット×縦３５２ドットの領域になる。内側の点線の四角１９４は、この変形例の携帯電話で作成することができる最小画素数の画像データを作成する場合の撮影範囲を表すものであり、メインディスプレイ５１上では横２８８ドット×縦２８８ドットの領域になる。なお、最小画素数の画像データを作成する場合であっても、実際には、実線の四角１９３で示される領域の画像が一旦取り込まれ、点線の四角１９４で示される領域の画像が切り出されるが、ここでは、便宜上、点線の四角１９４で示される領域も撮影範囲と称することにする。なお、最小画素数の画像データに基づく画像をメインディスプレイ５１上に表示しても、画素数は最小画素数のままであり、その画像の大きさは点線の四角１９４で示される領域の大きさのままである。以上説明したように、作成する画像データの画素数が変わると撮影範囲も変化する。
【００７１】
ここで、図１１とともに図１２も用いて、この変形例における携帯電話に備えられた自分撮り用のミラーついて説明する。
【００７２】
図１２は、折り畳んだ状態の、この変形例における携帯電話を、ディスプレィ側の真上から見たときの外観を示す図である。
【００７３】
図１２に示す携帯電話１に備えられたレンズカバー１６の表面には、自分撮り用のミラーとして、最小画素数の画像データを作成する場合の撮影範囲を映し出す円形ミラー３５１と、最大画素数の画像データを作成する場合の撮影範囲を映し出す楕円形ミラー３５２が上下に並んで配置されている。図１２に示す楕円形ミラー３５２は、所定距離離れた自分の顔を撮影する際に、図１１に示された実線の楕円３５２０で示される領域を映し出すものである。この実線の楕円３５２０は、実線の四角１９３に内接するものであることから、楕円形ミラー３５２が映し出す領域は、最小画素数の画像データを作成するにあたり、所定距離離れた被写体を撮影した場合の撮影範囲に対応していることがわかる。また、図１２に示す円形ミラー３５１は、所定距離離れた自分の顔を撮影する際に、図１１に示された点線の円３５１０で示される領域を映し出すものである。この点線の円３５１０は、点線の四角１９４の内接円であることから、円形ミラー３５１が映し出す領域は、最大画素数の画像データを作成するにあたり、所定距離離れた被写体を撮影した場合の撮影範囲に対応していることがわかる。したがって、作成する画像データの画素数が変わっても、自分撮り用のミラーに適正な撮影範囲を映し出すことができ、自分撮りの際の、構図の失敗による撮り直しの回数を低減させることができる。なお、各ミラー３５１，３５２の周囲に、各ミラーの用途を識別する表示を付しておくことが好ましい。
【００７４】
以上、２つの変形例においてそれぞれ説明した図１０に示す自分撮り用のミラー２５や図１２に示す自分撮り用のミラー３５１，３５２はいずれも、裏面に除電部材１６２が設けられたレンズカバー１６の表面に配備されているが、これらのミラー２５，３５１，３５２は、除電部材１６２が設けられていない携帯端末にも広く適用することができる。
【００７５】
続いて、本発明の第２実施形態について説明する。この第２実施形態の携帯電話は、図５に示す除電部材１６２に代えて拭取部材を設けた点を除いては、図２に示す携帯電話１と同じであるため、重複する説明は省略し、今まで用いた符号を使用して拭取部材についてのみ説明する。
【００７６】
図１３は、第２実施形態の携帯電話を、図６に示す携帯電話と同じように断面し、ディスプレイ側の断面を表す図である。
【００７７】
図１３に示す携帯電話１に備えられたレンズカバー１６の裏面には、拭取部材１６４が設けられている。図１３に示す拭取部材１６４は、材料の特性（色等）がカメラパネル１４に移行しない非移行性の不織布である。この図１３では、拭取部材１６４が、１対のリブ１０４に挟まれた部分１０５に押圧気味に接触している。そのため、レンズカバー１６を閉めようとすると、この拭取部材１６４はカメラパネル１４に押圧気味に接触し、拭取部材１６４によって、カメラパネル１４に付着した汚れは拭き取られる。また、レンズカバー１６を閉めた状態から開けた状態に移行させる際にも、拭取部材１６４によって、カメラパネル１４に付着した汚れは拭き取られる。したがって、レンズカバー１６を開けた時には、カメラパネル１４は常に清掃された状態にある。このため、撮影操作を開始する前に、カメラパネル１４の汚れを拭き取る作業を行うことが不要となり、操作性が向上する。なお、拭取部材１６４は、不織布に限定されるものではないが、拭取部材１６４としては、弾性を有するものであることが好ましい。例えば、弾性を有する材料を非弾性の材料で挟み込んだものが一例としてあげられる。また、除電効果を有する、非移行性の弾性材料からなるものがより好ましい例としてあげられる。また、拭取部材１６４の形状は、ブラシ状であってもよい。
【００７８】
以上説明した、図１３に示す拭取部材１６４は、自分撮り用のミラー１５が表面に設けられたレンズカバー１６の裏面に配備されているが、拭取部材は、表面に自分撮り用のミラーが設けられていないレンズカバーを有する携帯端末にも適用することができる。
【００７９】
なお、ここでは、携帯電話を例にあげて説明したが、本発明の携帯端末は、携帯電話以外の携帯端末、例えば、いわゆる携帯情報端末と称される、タッチパネル等を備えた手帳サイズの情報機器等にも適用することができる。このような、携帯電話以外の携帯端末においては、ミラー１５は、必ずしも自分撮り用のものである必要はない。
【００８０】
以下、本発明の各種態様を付記する。
【００８１】
（付記１）　被写体からの撮影光をとらえて画像データを得る撮影機能を有する携帯端末において、
被写体からの撮影光を取り込む光学部材と、
摺動自在に取り付けられ、摺動操作を受けて前記光学部材を開閉自在に覆うカバー部材とを備え、
前記カバー部材が、該カバー部材表面にミラーを有するものであることを特徴とする携帯端末。
【００８２】
（付記２）　前記ミラーが、所定の第１の領域を映し出す第１のミラー部と、前記第１の領域を取り囲む所定の第２の領域を映し出す第２のミラー部とを有するものであることを特徴とする付記１記載の携帯端末。
【００８３】
（付記３）　前記第２のミラー部が、前記第１のミラー部の周囲に同心円状に配置されたものであることを特徴とする付記２記載の携帯端末。
【００８４】
（付記４）　この携帯端末は、異なる複数の撮影画角の中から自在に選択された撮影画角の被写体像を表す画像データを得るものであって、
前記第１のミラー部が、前記複数の撮影画角のうちの最小画角の被写体を映し出すものであって、
前記第２のミラー部が、前記複数の撮影画角のうちの最大画角の被写体を映し出すものであることを特徴とする付記２又は３記載の携帯端末。
【００８５】
（付記５）　この携帯端末は、被写体からの撮影光を、複数の受光素子が二次元的に配列された撮像面を有する撮像素子の該撮像面上に結像させ、該撮像面の、受光素子数が異なる複数の広さの領域の中から自在に選択された領域内の受光素子数に対応した画素数の画像データを得るものであって、
前記第１のミラー部が、第１の画素数の画像データで被写体像を表現するときの被写体を映し出すものであって、
前記第２のミラー部が、第１の画素数とは異なる第２の画素数の画像データで被写体像を表現するときの被写体を映し出すものであることを特徴とする付記２又は３記載の携帯端末。
【００８６】
（付記６）　被写体からの撮影光をとらえて画像データを得る撮影機能を有する携帯端末において、
被写体からの撮影光を取り込む光学部材と、
摺動自在に取り付けられ、摺動操作を受けて前記光学部材を開閉自在に覆うカバー部材とを備え、
前記カバー部材は、該カバー部材が閉じた状態にあるときに、前記光学部材に対向する除電部材を有するものであることを特徴とする携帯端末。
【００８７】
（付記７）　被写体からの撮影光をとらえて画像データを得る撮影機能を有する携帯端末において、
被写体からの撮影光を取り込む光学部材と、
摺動自在に取り付けられ、摺動操作を受けて前記光学部材を開閉自在に覆うカバー部材とを備え、
前記カバー部材は、該カバー部材が摺動する際に前記光学部材の汚れを拭き取る拭取部材を有するものであることを特徴とする携帯端末。
【００８８】
（付記８）　被写体からの撮影光をとらえて画像データを得る撮影機能を有する携帯電話において、
被写体からの撮影光を取り込む光学部材と、
摺動自在に取り付けられ、摺動操作を受けて前記光学部材を開閉自在に覆うカバー部材とを備え、
前記カバー部材が、該カバー部材表面に自分撮り用のミラーを有するものであることを特徴とする携帯電話。
【００８９】
（付記９）　前記ミラーが、所定の第１の領域を映し出す第１のミラー部と、前記第１の領域を取り囲む所定の第２の領域を映し出す第２のミラー部とを有するものであることを特徴とする付記８記載の携帯電話。
【００９０】
（付記１０）　前記第２のミラー部が、前記第１のミラー部の周囲に同心円状に配置されたものであることを特徴とする付記９記載の携帯電話。
【００９１】
（付記１１）　この携帯電話は、異なる複数の撮影画角の中から自在に選択された撮影画角の被写体像を表す画像データを得るものであって、
前記第１のミラー部が、前記複数の撮影画角のうちの最小画角の被写体を映し出すものであって、
前記第２のミラー部が、前記複数の撮影画角のうちの最大画角の被写体を映し出すものであることを特徴とする付記９又は１０記載の携帯電話。
【００９２】
（付記１２）　この携帯電話は、被写体からの撮影光を、複数の受光素子が二次元的に配列された撮像面を有する撮像素子の該撮像面上に結像させ、該撮像面の、受光素子数が異なる複数の広さの領域の中から自在に選択された領域内の受光素子数に対応した画素数の画像データを得るものであって、
前記第１のミラー部が、第１の画素数の画像データで被写体像を表現するときの被写体を映し出すものであって、
前記第２のミラー部が、第１の画素数とは異なる第２の画素数の画像データで被写体像を表現するときの被写体を映し出すものであることを特徴とする付記９又は１０記載の携帯電話。
【００９３】
（付記１３）　被写体からの撮影光をとらえて画像データを得る撮影機能を有する携帯電話において、
被写体からの撮影光を取り込む光学部材と、
摺動自在に取り付けられ、摺動操作を受けて前記光学部材を開閉自在に覆うカバー部材とを備え、
前記カバー部材は、該カバー部材が閉じた状態にあるときに、前記光学部材に対向する除電部材を有するものであることを特徴とする携帯電話。
【００９４】
（付記１４）　被写体からの撮影光をとらえて画像データを得る撮影機能を有する携帯電話において、
被写体からの撮影光を取り込む光学部材と、
摺動自在に取り付けられ、摺動操作を受けて前記光学部材を開閉自在に覆うカバー部材とを備え、
前記カバー部材は、該カバー部材が摺動する際に前記光学部材の汚れを拭き取る拭取部材を有するものであることを特徴とする携帯電話。
【００９５】
（付記１５）　被写体からの撮影光をとらえて画像データを得る撮影機能を有する携帯端末において、
所定の第１の領域を映し出す第１のミラー部と、前記第１の領域を取り囲む所定の第２の領域を映し出す、前記第１のミラー部とは表面の曲率が異なる第２のミラー部とを有するミラーを備えたことを特徴とする携帯端末。
【００９６】
（付記１６）　被写体からの撮影光をとらえて画像データを得る撮影機能を有する携帯電話において、
所定の第１の領域を映し出す第１のミラー部と、前記第１の領域を取り囲む所定の第２の領域を映し出す、前記第１のミラー部とは表面の曲率が異なる第２のミラー部とを有する自分撮り用のミラーを備えたことを特徴とする携帯電話。
【００９７】
【発明の効果】
以上、説明したように、本発明によれば、操作性が向上した、撮影機能を有する携帯端末および携帯電話を提供することができる。
【図面の簡単な説明】
【図１】カメラを内蔵した、従来の携帯電話の外観を示す図である。
【図２】本実施形態の携帯電話の外観を示す図である。
【図３】折り畳んだ状態の図２に示す携帯電話を、ディスプレィ側の真上から見たときの外観を示す図である。
【図４】図３に示す携帯電話のレンズカバーを開けた状態を示す外観図である。
【図５】図２に示す携帯電話のリアケース表面に取り付けられる構成部材を各々示した図である。
【図６】図４におけるＡ−Ａ断面のうちの、ディスプレイ側の断面を示す図である。
【図７】図３に示す携帯電話からリアパネルを取り去った状態を示す図である。
【図８】図４に示す携帯電話からリアパネルを取り去った状態を示す図である。
【図９】この変形例における携帯電話に備えられた撮影レンズの撮影画角と撮影範囲の関係を示す図である。
【図１０】この変形例における携帯電話に備えられた自分撮り用のミラーを示す図である。
【図１１】この変形例における携帯電話で作成された画像データの画素数と撮影範囲の関係を示す図である。
【図１２】折り畳んだ状態の、この変形例における携帯電話を、ディスプレィ側の真上から見たときの外観を示す図である。
【図１３】第２実施形態の携帯電話を、図６に示す携帯電話と同じように断面し、ディスプレイ側の断面を示す図である。
【符号の説明】
１　　携帯電話
１０　　リアケース
１００　　リアケース表面
１０１　　突起
１０６　　摺接部
１０７　　第１収納部
１０８　　第２収納部
１１　　通信用アンテナ
１３　　サブディスプレイ
１４　　カメラパネル
１５　　ミラー
１５１　　円形部分
１５２　　環状突部
１６　　レンズカバー
１６１　突条部
１６２　　除電部材
１６３　　係合片
１６３ａ　　下縁
１６３１　　溝
１６３１ａ　　斜辺
１６４　　拭取部材
１７　　リアパネル
１７１　　窓
１７２　　切抜孔
１７２ａ　　上縁
１７２ｂ　　下縁
５１　　メインディスプレイ
１９　　撮影レンズ
２０　　トーションスプリング
２０１　　第１突出部
２０２　　第２突出部
２５　　ミラー
２５１　　内側部分
２５２　　外側部分
３５１　　円形ミラー
３５２　　楕円形ミラー
５１　　　メインディスプレイ
５３　　シャッタボタン
５４　　操作ボタン
【図１】
2004096330.tif 000003
【図２】
2004096330.tif 000004
【図３】
2004096330.tif 000005
【図４】
2004096330.tif 000006
【図５】
2004096330.tif 000007
【図６】
2004096330.tif 000008
【図７】
2004096330.tif 000009
【図８】
2004096330.tif 000010
【図９】
2004096330.tif 000011
【図１０】
2004096330.tif 000012
【図１１】
2004096330.tif 000013
【図１２】
2004096330.tif 000014
【図１３】
2004096330.tif 000015